【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
制御情報の伝送方法であって、
第１機器と第２機器の間で第１制御情報を伝送することであって、前記第１制御情報は第２制御チャネルによって搬送され、前記第１制御情報は、第１制御チャネルおよび／または第１データチャネルの伝送をスケジューリングするために使用され、前記第１制御チャネルはサイドリンク制御情報を伝送するために使用され、前記第１データチャネルはサイドリンクデータを伝送するために使用され、前記第１データチャネルおよび前記第１制御チャネルは、時分割の伝送を実行することを含む、前記制御情報の伝送方法。
【請求項２】
前記第１制御情報は、前記第１制御チャネルの周波数領域リソース情報および／または前記第１制御チャネルの時間領域リソース情報および／または前記第１データチャネルの周波数領域リソース情報および／または前記第１データチャネルの時間領域リソース情報を含む、
請求項１に記載の制御情報の伝送方法。
【請求項３】
前記第１制御情報は第１パラメータを含み、前記第１パラメータは、前記第１制御チャネルの周波数領域リソースの開始位置および／または長さを決定するために使用され、および前記第１パラメータは、周波数領域ユニットのインデックス値である、
請求項２に記載の制御情報の伝送方法。
【請求項４】
前記第１制御チャネルの周波数領域リソースの長さは、事前に構成された情報またはネットワークによって構成された情報に基づいて決定される、
請求項２に記載の制御情報の伝送方法。
【請求項５】
前記第１制御情報は第１インデックス情報を含み、前記第１インデックス情報は、第１構成情報によって構成されたリソース内で前記第１インデックス情報に対応する第１周波数領域リソースを決定するために使用され、前記第１構成情報は、少なくとも１つのインデックス情報と周波数領域リソースの対応関係を含み、前記第１構成情報は、ネットワークによって事前に構成され、または構成される、
請求項２に記載の制御情報の伝送方法。
【請求項６】
前記第１制御チャネルの時間領域リソース情報は、時間領域開始位置情報および／または時間領域の長さ情報を含み、
前記時間領域開始位置情報は、前記第１制御情報における第１指示フィールドによって決定され、前記時間領域の長さ情報は、前記第１制御情報における第２指示フィールドによって決定され、
前記第１指示フィールドは第２インデックス情報を含み、前記第２インデックス情報は、前記第１制御チャネルの開始位置が占める時間ユニットを決定するために使用され、および
１つの時間ユニット内の第１制御チャネルの時間領域位置は、事前に構成された情報またはネットワークによって構成された情報に基づいて決定される、
請求項２ないし５のいずれか一項に記載の制御情報の伝送方法。
【請求項７】
前記第１制御情報は第３指示フィールドを含み、前記第３指示フィールドは第３インデックス情報を含み、前記第３インデックス情報は、第２構成情報によって構成されたリソースにおける前記第３インデックス情報に対応する第１時間領域リソースを決定するために使用される、
請求項２に記載の制御情報の伝送方法。
【請求項８】
前記第１制御情報は、１つの第１制御チャネルに対応する周波数領域リソース情報および／または時間領域リソース情報を含み、または、
前記第１制御情報は、複数の第１制御チャネルに対応する周波数領域リソース情報および／または時間領域リソース情報を含む、
請求項２ないし７のいずれか一項に記載の制御情報の伝送方法。
【請求項９】
前記第１制御情報は第３パラメータを含み、前記第３パラメータは、前記第１データチャネルの周波数領域リソースの開始位置および／または長さを決定するために使用され、
前記第１制御チャネルおよび前記第１データチャネルの周波数領域開始位置が同じであり、
前記第１制御情報が複数のデータチャネルの伝送をスケジューリングする場合、前記複数のデータチャネルは、少なくとも、前記第１データチャネルおよび第２データチャネルを含み、前記第３パラメータは、前記複数のデータチャネルに対応する周波数領域リソースの長さおよび前記第２データチャネルに対応する周波数領域リソースの開始位置を決定するために使用される、
請求項２ないし８のいずれか一項に記載の制御情報の伝送方法。
【請求項１０】
前記第１制御情報は第４インデックス情報を含み、前記第４インデックス情報は、第３構成情報における前記第４インデックス情報に対応する第２周波数領域リソースを決定するために使用される、
請求項２ないし８のいずれか一項に記載の制御情報の伝送方法。
【請求項１１】
前記第１データチャネルの時間領域リソース情報は、時間領域開始位置情報を含み、
前記時間領域開始位置情報は、前記第１制御情報における第４指示フィールドによって決定される、
請求項２ないし１０のいずれか一項に記載の制御情報の伝送方法。
【請求項１２】
時間単位内の第１データチャネルの時間領域リソースは、事前に構成された情報またはネットワークによる情報の構成に基づいて決定される、
請求項２ないし１１のいずれか一項に記載の制御情報の伝送方法。
【請求項１３】
前記第４指示フィールドは第２時間オフセット情報を含み、前記第２時間オフセット情報は、前記第２制御チャネルまたは前記第１制御チャネルの時間領域リソースに対する前記第１データチャネルの時間領域リソースの時間オフセット量を決定するために使用される、
請求項１１に記載の制御情報の伝送方法。
【請求項１４】
前記第１データチャネルが占める最後の時間ユニットの最後の時間領域シンボルは、データを伝送するために使用されない、
請求項２ないし１３のいずれか一項に記載の制御情報の伝送方法。
【請求項１５】
前記第１データチャネルおよび前記第１制御チャネルが時分割の伝送を実行することは、
前記第１データチャネルおよび前記第１制御チャネルが、１つの時間ユニットで時分割の伝送を実行することを含み、前記第１制御チャネルは、前記時間ユニット内のＡ（１≦Ａ＜Ｃ、Ｃは、１つの時間ユニット内の時間領域シンボルの数である）個の時間領域シンボルを占め、前記第１データチャネルは、前記時間ユニット内のＢ（１≦Ｂ＜Ｃ、Ａ＋Ｂ≦Ｃ）個の時間領域シンボルを占め、前記第１制御チャネルおよび前記第１データチャネルの時間領域リソースは重複しない、
請求項１ないし１４のいずれか一項に記載の制御情報の伝送方法。
【請求項１６】
前記第１データチャネルおよび前記第１制御チャネルが時分割の伝送を実行することは、
前記第１データチャネルおよび前記第１制御チャネルが、部分的な時分割の伝送を実行することを含み、
前記第１データチャネルおよび前記第１制御チャネルが、部分的な時分割の伝送を実行することは、
前記第１制御チャネルが占める時間領域リソースが、前記第１データチャネルが占める時間領域リソースと少なくとも部分的に重複することを含む、
請求項１ないし１４のいずれか一項に記載の制御情報の伝送方法。
【請求項１７】
前記第１制御チャネルおよび前記第１データチャネルの時間領域開始位置が同じである、
請求項１６に記載の制御情報の伝送方法。
【請求項１８】
前記方法は、
前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複することをさらに含み、１≦Ａ≦Ｃであり、１≦Ｂ≦Ｃであり、Ｃは、１つの時間ユニット内の時間領域シンボルの数である、
請求項１６に記載の制御情報の伝送方法。
【請求項１９】
前記周波数領域ユニットの粒度は、物理リソースブロック（ＰＲＢ）、またはサブバンドである、
請求項３に記載の制御情報の伝送方法。
【請求項２０】
前記時間オフセット的粒度は、タイムスロットであり、前記時間ユニットはタイムスロットを構成する、
請求項１３に記載の制御情報の伝送方法。
【請求項２１】
前記第１制御情報は、
前記第１データチャネルの伝送回数を決定するための第２指示情報、
前記第１制御チャネルおよび／または前記第１データチャネルを伝送するためのリソースプール情報を決定するために使用されるリソースプール指示情報、
フィードバックチャネルの伝送リソースを決定するための第３指示情報、
アップリンク制御チャネルの伝送リソースを決定するための第４指示情報、
前記第１制御チャネルの伝送回数を決定するための第８指示情報のうちの少なくとも１つをさらに含む、
請求項１ないし２０のいずれか一項に記載の制御情報の伝送方法。
【請求項２２】
第１機器に適用される制御情報の伝送装置であって、
第２機器との間で第１制御情報を伝送するように構成される伝送ユニットであって、前記第１制御情報は第２制御チャネルによって搬送され、前記第１制御情報は、第１制御チャネルおよび／または第１データチャネルの伝送をスケジューリングするために使用され、前記第１制御チャネルはサイドリンク制御情報を伝送するために使用され、前記第１データチャネルはサイドリンクデータを伝送するために使用され、前記第１データチャネルおよび前記第１制御チャネルは、時分割の伝送を実行する伝送ユニットを備える、前記制御情報の伝送装置。